(57)【特許請求の範囲】
【請求項１】
情報伝送方法であって、
端末装置が第一の時間ユニットでターゲットアップリンク情報を伝送するための第一の伝送方式を確定することであって、前記第一の伝送方式が、前記端末装置が第二の時間ユニットで前記ターゲットアップリンク情報を伝送するための第二の伝送方式と異なり、前記第一の伝送方式及び前記第二の伝送方式が両方とも前記ターゲットアップリンク情報に対する前記端末装置の前処理方式を含み、前記第一の伝送方式に含まれる前処理方式が、第二の伝送方式に含まれる前処理方式と異なり、そして前記第二の時間ユニットにおける前記ターゲットアップリンク情報を伝送するための時間長が前記第一の時間ユニットにおける前記ターゲットアップリンク情報を伝送するための時間長と異なることと、
前記端末装置が前記第一の伝送方式を用いてネットワーク装置へ前記ターゲットアップリンク情報を送信することと、
前記ターゲットアップリンク情報のタイプが周期的ＣＳＩである場合、第一の前処理方式は前記周期的ＣＳＩにおける優先度が最も高い情報を選択して伝送することであることとを含むことを特徴とする、前記情報伝送方法。
【請求項２】
前記ターゲットアップリンク情報のタイプは確認／非確認（ＡＣＫ／ＮＡＣＫ）情報をさらに含むことを特徴とする
請求項１に記載の情報伝送方法。
【請求項３】
前記第一の伝送方式にさらに含まれる下記の方式のうちの少なくとも一つが前記第二の伝送方式にさらに含まれる下記の方式のうちの少なくとも一つと異なる：
前記端末装置が前記ターゲットアップリンク情報を伝送するために用いる伝送モード、即ち多入力多出力（ＭＩＭＯ）伝送モード、
前記端末装置が前記ターゲットアップリンク情報を伝送するために用いる周波数領域リソース数、
前記端末装置が前記ターゲットアップリンク情報を伝送するために用いる送信電力、及び
前記端末装置が前記ターゲットアップリンク情報を伝送するために用いるリソースのリソースインデックスであることを特徴とする
請求項１又は２に記載の情報伝送方法。
【請求項４】
前記端末装置が第一の時間ユニットでターゲットアップリンク情報を伝送するための第一の伝送方式を確定することは、
前記端末装置が前記第一の時間ユニットで前記ターゲットアップリンク情報を伝送するための第一の伝送モードを確定することを含み、ここで、前記第一の伝送モードが予め定められた伝送モードであることを特徴とする
請求項１に記載の情報伝送方法。
【請求項５】
前記端末装置が第一の時間ユニットでターゲットアップリンク情報を伝送するための第一の伝送方式を確定する前に、前記情報伝送方法はさらに、
前記端末装置が前記ネットワーク装置から送信された、前記第一の時間ユニットで前記ターゲットアップリンク情報を伝送するための第一の伝送モードを受信することを含むことを特徴とする
請求項１に記載の情報伝送方法。
【請求項６】
前記端末装置が第一の時間ユニットでターゲットアップリンク情報を伝送するための第一の伝送方式を確定することは、
前記端末装置が第二の周波数領域リソース数、前記第一の時間ユニットにおけるアップリンク時間リソースの数及び前記第二の時間ユニットにおけるアップリンク時間リソースの数のうちの少なくとも一つに基づき、前記第一の時間ユニットで前記ターゲットアップリンク情報を伝送するための第一の周波数領域リソース数を確定すること、又は
前記端末装置が予め定められたパラメータ又は予め定められたルールに応じて、前記第一の周波数領域リソース数を確定することを含むことを特徴とする
請求項３−５のいずれか一項に記載の情報伝送方法。
【請求項７】
前記端末装置が第一の時間ユニットでターゲットアップリンク情報を伝送するための第一の伝送方式を確定する前に、前記情報伝送方法はさらに、
前記端末装置が前記ネットワーク装置から送信された、前記第一の時間ユニットで前記ターゲットアップリンク情報を伝送するための第一の周波数領域リソース数を受信することを含むことを特徴とする
請求項３−５のいずれか一項に記載の情報伝送方法。
【請求項８】
前記端末装置が第一の時間ユニットでターゲットアップリンク情報を伝送するための第一の伝送方式を確定する前に、前記情報伝送方法はさらに、
前記端末装置が前記ネットワーク装置から送信された第一の送信電力制御コマンドを受信することであって、前記第一の送信電力制御コマンドが前記第一の時間ユニットで前記ターゲットアップリンク情報を伝送するための送信電力を調整することに用いられ、又は
前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられることを含み、
前記端末装置が第一の時間ユニットでターゲットアップリンク情報を伝送するための第一の伝送方式を確定することは、
前記端末装置が前記第一の送信電力制御コマンドに基づき、前記第一の時間ユニットで前記ターゲットアップリンク情報を伝送するための第一の送信電力を確定することを含む
ことを特徴とする
請求項３−７のいずれか一項に記載の情報伝送方法。
【請求項９】
前記端末装置が第一の時間ユニットでターゲットアップリンク情報を伝送するための第一の伝送方式を確定することは、
前記端末装置が第一の情報に基づき、前記第一の時間ユニットで前記ターゲットアップリンク情報を伝送するための第一のリソースインデックスを確定することを含み、ここで、前記第一の情報が第二の情報と異なり、そして前記第二の情報が前記第二の時間ユニットで前記ターゲットアップリンク情報を伝送するための第二のリソースインデックスを確定するために前記端末装置によって使用されることを特徴とする
請求項３−８のいずれか一項に記載の情報伝送方法。
【請求項１０】
前記端末装置が第一の時間ユニットでターゲットアップリンク情報を伝送するための第一の伝送方式を確定することは、
前記端末装置が第三の情報及び第一のアルゴリズムに基づき、前記第一の時間ユニットで前記ターゲットアップリンク情報を伝送するための第一のリソースインデックスを確定することを含み、ここで、前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記端末装置によって使用されることを特徴とする
請求項３−９のいずれか一項に記載の情報伝送方法。
【請求項１１】
前記ターゲットアップリンク情報のタイプがＡＣＫ／ＮＡＣＫ情報である場合、前記第一の前処理方式は前記ＡＣＫ／ＮＡＣＫ情報に対してバンドリングを実行することであることを特徴とする
請求項３−１０のいずれか一項に記載の情報伝送方法。
【請求項１２】
情報伝送装置であって、
第一の時間ユニットでターゲットアップリンク情報を伝送するための第一の伝送方式を確定するように構成される確定ユニットであって、前記第一の伝送方式が、前記情報伝送装置が第二の時間ユニットで前記ターゲットアップリンク情報を伝送するための第二の伝送方式と異なり、前記第一の伝送方式及び前記第二の伝送方式が両方とも前記ターゲットアップリンク情報に対する端末装置の前処理方式を含み、前記第一の伝送方式に含まれる前処理方式が、第二の伝送方式に含まれる前処理方式と異なり、そして前記第二の時間ユニットにおける前記ターゲットアップリンク情報を伝送するための時間長が前記第一の時間ユニットにおける前記ターゲットアップリンク情報を伝送するための時間長と異なる確定ユニットと、
前記第一の伝送方式を用いてネットワーク装置へ前記ターゲットアップリンク情報を送信するように構成される送信ユニットであって、前記ターゲットアップリンク情報のタイプが周期的ＣＳＩである場合、第一の前処理方式は前記周期的ＣＳＩにおける優先度が最も高い情報を選択して伝送することである送信ユニットとを備えることを特徴とする、前記情報伝送装置。
【請求項１３】
前記ターゲットアップリンク情報のタイプは確認／非確認（ＡＣＫ／ＮＡＣＫ）情報をさらに含むことを特徴とする
請求項１２に記載の情報伝送装置。
【請求項１４】
前記第一の伝送方式にさらに含まれる下記の方式のうちの少なくとも一つが前記第二の伝送方式にさらに含まれる下記の方式のうちの少なくとも一つと異なる：
前記端末装置が前記ターゲットアップリンク情報を伝送するために用いる伝送モード即ち多入力多出力（ＭＩＭＯ）伝送モード、
前記端末装置が前記ターゲットアップリンク情報を伝送するために用いる周波数領域リソース数、
前記端末装置が前記ターゲットアップリンク情報を伝送するために用いる送信電力、及び
前記端末装置が前記ターゲットアップリンク情報を伝送するために用いるリソースのリソースインデックスであることを特徴とする
請求項１２又は１３に記載の情報伝送装置。
【請求項１５】
前記確定ユニットは具体的に、
前記第一の時間ユニットで前記ターゲットアップリンク情報を伝送するための第一の伝送モードを確定するように構成され、ここで、前記第一の伝送モードが予め定められた伝送モードであることを特徴とする
請求項１４に記載の情報伝送装置。
【請求項１６】
前記情報伝送装置はさらに、
第一の時間ユニットでターゲットアップリンク情報を伝送するための第一の伝送方式を確定する前に、前記ネットワーク装置から送信された、前記第一の時間ユニットで前記ターゲットアップリンク情報を伝送するための第一の伝送モードを受信するように構成される第一の受信ユニットを備えることを特徴とする
請求項１４に記載の情報伝送装置。
【請求項１７】
前記確定ユニットは具体的に、
前記第一の時間ユニットで前記ターゲットアップリンク情報を伝送するための第二の周波数領域リソース数、前記第一の時間ユニットにおけるアップリンク時間リソースの数及び前記第二の時間ユニットにおけるアップリンク時間リソースの数のうちの少なくとも一つに基づき、前記第一の時間ユニットで前記ターゲットアップリンク情報を伝送するための第一の周波数領域リソース数を確定するように構成され、又は
予め定められたパラメータ又は予め定められたルールに応じて、第一の周波数領域数数を確定するように構成されることを特徴とする
請求項１４−１６のいずれか一項に記載の情報伝送装置。
【請求項１８】
前記情報伝送装置はさらに、
第一の時間ユニットでターゲットアップリンク情報を伝送するための第一の伝送方式を確定する前に、前記ネットワーク装置から送信された、前記第一の時間ユニットで前記ターゲットアップリンク情報を伝送するための第一の周波数領域リソース数を受信するように構成される第二の受信ユニットを備えることを特徴とする
請求項１４−１６のいずれか一項に記載の情報伝送装置。
【請求項１９】
前記第一の周波数領域リソース数がＡ及びＢに関連付けられ、ここで、前記Ａと前記Ｂがいずれも正数であり、前記Ａが前記第二の周波数領域リソース数又は予め定められたパラメータであり、そして前記Ｂが予め定められたパラメータ、予め定められたルールに応じて確定されたパラメータ又は前記情報伝送装置によって受信された前記ネットワーク装
置から送信されたパラメータであることを特徴とする
請求項１７に記載の情報伝送装置。
【請求項２０】
前記ＢはＭ、ｋ及びｘに関連付けられ、ここで、前記Ｍが前記第二の時間ユニットにおけるアップリンク時間リソースの数であり、前記ｘが前記第一の時間ユニットにおけるアップリンク時間リソースの数であり、前記ｋが正整数であり、そして前記ｋが予め定められたパラメータ又は前記情報伝送装置によって受信された前記ネットワーク装置から送信されたパラメータであり、又は
前記ＢはＭ、ｋ及びｔに関連付けられ、ここで、前記Ｍが前記第二の時間ユニットにおけるアップリンク時間リソースの数であり、前記ｘが前記第一の時間ユニットにおけるアップリンク時間リソースの数であり、前記ｔが正数であり、そして前記ｔが予め定められたパラメータ又は前記情報伝送装置によって受信された前記ネットワーク装置から送信されたパラメータであり、又は
前記ＢはＭ及びｑに関連付けられ、ここで、前記ｘが前記第一の時間ユニットにおけるアップリンク時間リソースの数であり、前記ｑが正数であり、且つ前記ｑが予め定められたパラメータ又は前記情報伝送装置によって受信された前記ネットワーク装置から送信されたパラメータであることを特徴とする
請求項１９に記載の情報伝送装置。
【請求項２１】
前記情報伝送装置はさらに、
第一の時間ユニットでターゲットアップリンク情報を伝送するための第一の伝送方式を確定する前に、前記ネットワーク装置から送信された第一の送信電力制御コマンドを受信するように構成される第三の受信ユニットであって、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられる第三の受信ユニットを備え、
前記確定ユニットは具体的に、
前記第一の送信電力制御コマンドに基づき、前記第一の時間ユニットで前記ターゲットアップリンク情報を伝送するための第一の送信電力を確定するように構成されることを特徴とする
請求項１４−２０のいずれか一項に記載の情報伝送装置。
【請求項２２】
前記確定ユニットは具体的に、
第一の情報に基づき、前記第一の時間ユニットで前記ターゲットアップリンク情報を伝送するための第一のリソースインデックスを確定するように構成され、ここで、前記第一の情報が第二の情報と異なり、且つ前記第二の情報が前記第二の時間ユニットで前記ターゲットアップリンク情報を伝送するための第二のリソースインデックスを確定するために前記情報伝送装置によって使用されることを特徴とする
請求項１４−２１のいずれか一項に記載の情報伝送装置。
【請求項２３】
前記確定ユニットは具体的に、
第三の情報及び第一のアルゴリズムに基づき、前記第一の時間ユニットで前記ターゲットアップリンク情報を伝送するための第一のリソースインデックスを確定するように構成され、ここで、前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記情報伝送装置によって使用されることを特徴とする
請求項１４−２１のいずれか一項に記載の情報伝送装置。
【請求項２４】
前記ターゲットアップリンク情報のタイプがＡＣＫ／ＮＡＣＫ情報である場合、前記第一の前処理方式は前記ＡＣＫ／ＮＡＣＫ情報に対してバンドリングを実行することであることを特徴とする
請求項１４−２３のいずれか一項に記載の情報伝送装置。
【発明の詳細な説明】
【技術分野】
【０００１】
本開示は通信分野に関し、且つより具体的には、通信分野における情報伝送方法及び装置に関する。
【背景技術】
【０００２】
現在の新しい無線（Ｎｅｗ  Ｒａｄｉｏ：「ＮＲ」と略称）システムは、動的フレーム構造配置をサポートし、即ちサービスニーズに応じて周波数帯域におけるアップリンク及びダウンリンク伝送時間リソースを動的に確定する。したがって、一つの周波数帯域においてアップリンク時間ユニット、ダウンリンク時間ユニット及び混合時間ユニットという３つの時間ユニットが存在する可能性があり、ここで、アップリンク時間ユニットがアップリンク情報を伝送することに用いられ、ダウンリンク時間ユニットがダウンリンク情報を伝送することに用いられ、混合時間ユニットがアップリンク情報とダウンリンク情報を伝送することに用いられる。
【０００３】
アップリンク情報は主にアップリンク制御情報、アップリンクデータ情報及びアップリンク基準信号を含む。アップリンク制御情報のタイプは確認／非確認（Ａｃｋｎｏｗｌｅｄｇｅｍｅｎｔ／Ｎｏｎ−Ａｃｋｎｏｗｌｅｄｇｅｍｅｎｔ：「ＡＣＫ／ＮＡＣＫ」と略称）情報、周期的チャネル状態情報（Ｃｈａｎｎｅｌ  Ｓｔａｔｅ  Ｉｎｆｏｒｍａｔｉｏｎ：「ＣＳＩ」と略称）と非周期的ＣＳＩを含む。ここで、周期的ＣＳＩの送信時間は基地局によって半静的に設定され、ＡＣＫ／ＮＡＣＫ情報は、端末装置がネットワーク装置から送信されたダウンリンクデータを受信した後、該端末装置によって該ネットワーク装置に送信され、したがって、ＡＣＫ／ＮＡＣＫ情報はダウンリンクデータと同一の時間ユニットで伝送されてもよいし、ダウンリンクデータを伝送するための時間ユニットの後の他の時間ユニット内で伝送されてもよい。
【０００４】
従来技術では、端末装置は常に単一タイプの時間ユニットを用いてアップリンク情報の伝送を行い、例えば、周期的ＣＳＩに対して、周期的ＣＳＩを送信するたびに、アップリンク時間ユニットを用い、又は周期的ＣＳＩを送信するたびに、混合時間ユニットを用い、このようにしてシステムにおける時間リソースの割り当ての柔軟性に影響を与えることは必然的である。
【発明の概要】
【発明が解決しようとする課題】
【０００５】
本開示の実施例による情報伝送方法及び装置により、システムにおける時間リソースの割り当ての柔軟性を高めることができる。
【課題を解決するための手段】
【０００６】
第一の態様による情報伝送方法は、端末装置が第一の時間ユニットでターゲットアップリンク情報を伝送するための第一の伝送方式を確定することであって、前記第一の伝送方式が、前記端末装置が第二の時間ユニットで前記ターゲットアップリンク情報を伝送するための第二の伝送方式と異なり、且つ前記第二の時間ユニットにおける前記ターゲットアップリンク情報を伝送するための時間長が前記第一の時間ユニットにおける前記ターゲットアップリンク情報を伝送するための時間長と異なることと、前記端末装置が前記第一の伝送方式を用いてネットワーク装置へ前記ターゲットアップリンク情報を送信することとを含む。
【０００７】
本開示の実施例による情報伝送方法では、端末装置は第一の時間ユニットでターゲットアップリンク情報を伝送するための第一の伝送方式を確定し、そして該第一の伝送方式を用いてネットワーク装置へ該ターゲットアップリンク情報を送信し、ここで、該第一の伝送方式が、該端末装置が該第一の時間ユニットと異なる第二の時間ユニットで該ターゲットアップリンク情報を伝送するための第二の伝送方式と異なる。このようにして、該端末装置は異なる伝送方式を用いて異なる時間ユニットで該ターゲットアップリンク情報を送信することができ、これによりシステムにおける時間リソースの割り当ての柔軟性を高め、それによってシステム性能を向上させることができる。
【０００８】
理解すべきものとして、第一の伝送ユニットは混合時間ユニットであり、第二の伝送ユニットは従来のアップリンク時間ユニットであってもよいが、本発明の実施例はこれに限定されない。
【０００９】
選択可能に、上記時間ユニットは一つの伝送ブロック（Ｔｒａｎｓｐｏｒ  Ｂｌｏｃｋ：「ＴＢ」と略称）として理解されてもよい。例えば、該時間ユニットは信号を伝送するための時間領域物理リソースの基本単位であってもよく、具体的にサブフレーム、伝送時間間隔（Ｔｒａｎｓｍｉｓｓｉｏｎ  Ｔｉｍｅ  Ｉｎｔｅｒｖａｌ：「ＴＴＩ」と略称）、タイムスロット、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）シンボル又はリソースユニット（Ｒｅｓｏｕｒｃｅ  Ｅｌｅｍｅｎｔ：「ＲＥ」と略称）などであってもよく、本開示の実施例はこれに限定されない。
【００１０】
第一の態様の第一の可能な実施形態では、前記端末装置が第一の時間ユニットでターゲットアップリンク情報を伝送するための第一の伝送方式を確定する前に、前記情報伝送方法はさらに前記端末装置が前記ネットワーク装置から送信された第一の通知メッセージを受信することであって、前記第一の通知メッセージが、前記第一の時間ユニット及び前記第二の時間ユニットで前記ターゲットアップリンク情報を伝送することができることを前記端末装置に通知することに用いられることを含む。
【００１１】
第一の態様の上記の可能な実施形態と組み合わせ、第一の態様の第二の可能な実施形態では、前記ターゲットアップリンク情報のタイプは確認／非確認（ＡＣＫ／ＮＡＣＫ）情報及び／又は周期的チャネル状態情報（ＣＳＩ）を含む。
【００１２】
第一の態様の上記の可能な実施形態と組み合わせ、第一の態様の第三の可能な実施形態では、前記第一の伝送方式に含まれる下記の方式のうちの少なくとも一つが前記第二の伝送方式に含まれる下記の方式のうちの少なくとも一つと異なる：前記ターゲットアップリンク情報に対する前記端末装置の前処理方式、前記端末装置が前記ターゲットアップリンク情報を伝送するために用いる伝送モード即ち多入力多出力（ＭＩＭＯ）伝送モード、前記端末装置が前記ターゲットアップリンク情報を伝送するために用いる周波数領域リソース数、前記端末装置が前記ターゲットアップリンク情報を伝送するために用いる送信電力、及び前記端末装置が前記ターゲットアップリンク情報を伝送するために用いるリソースのリソースインデックスである。
【００１３】
理解すべきものとして、上記前処理方式は圧縮処理であってもよいし、バンドリング（ｂｕｎｄｌｉｎｇ  ａｃｒｏｓｓ）であってもよく、本開示の実施例はこれに限定されない。上記伝送モードは送信ダイバーシティモードであってもよいし、空間多重化、ビームフォーミングなどの他の伝送モードであってもよく、本開示の実施例はこれに限定されない。
【００１４】
第一の態様の上記の可能な実施形態と組み合わせ、第一の態様の第四の可能な実施形態では、前記端末装置が第一の時間ユニットでターゲットアップリンク情報を伝送するための第一の伝送方式を確定することは、前記端末装置が前記第一の時間ユニットで前記ターゲットアップリンク情報を伝送するための第一の伝送モードを確定することを含み、ここで、前記第一の伝送モードが予め定められた伝送モードである。
【００１５】
第一の態様の上記の可能な実施形態と組み合わせ、第一の態様の第五の可能な実施形態では、前記端末装置が第一の時間ユニットでターゲットアップリンク情報を伝送するための第一の伝送方式を確定する前に、前記情報伝送方法はさらに前記端末装置が前記ネットワーク装置から送信された、前記第一の時間ユニットで前記ターゲットアップリンク情報を伝送するための第一の伝送モードを受信することを含む。
【００１６】
上述したように、該第一の伝送モードは該端末装置が直接事前約束に基づいて確定された伝送モードであってもよいし、ネットワーク装置によって端末装置に直接構成された伝送モードであってもよい。理解すべきものとして、該端末装置は、第一の時間ユニットにおいて用いる第一の伝送モードが第二の時間ユニットにおいて用いる第二の伝送モードと同じでも異なっていてもよく、本開示の実施例はこれに限定されない。
【００１７】
第一の態様の上記の可能な実施形態と組み合わせ、第一の態様の第六の可能な実施形態では、前記端末装置が第一の時間ユニットでターゲットアップリンク情報を伝送するための第一の伝送方式を確定することは、前記端末装置が第二の周波数領域リソース数、前記第一の時間ユニットにおけるアップリンク時間リソースの数及び前記第二の時間ユニットにおけるアップリンク時間リソースの数のうちの少なくとも一つに基づき、前記第一の時間ユニットで前記ターゲットアップリンク情報を伝送するための第一の周波数領域リソース数を確定することを含み、ここで、前記第二の周波数領域リソース数が、前記端末装置が前記第二の時間ユニットで前記ターゲットアップリンク情報を伝送するために用いる周波数領域リソース数であり、又は前記端末装置が予め定められたパラメータ又は予め定められたルールに応じて、前記第一の周波数領域リソース数を確定することを含む。
【００１８】
具体的には、該端末装置が複数の方式により該第一の周波数領域リソース数を確定することができ、該端末装置がターゲットアップリンク情報の大きさを知ったため、該端末装置は直接該第一の時間ユニットにおけるアップリンク時間リソースの数に基づき、上記第一の周波数領域リソース数を確定することができ、該端末装置は直接第二の時間ユニットにおける該ターゲットアップリンク情報を伝送するための第二の周波数領域リソース数に基づき、上記第一の周波数領域リソース数を確定することができ、該端末装置は該第二の周波数領域リソース数及び該第一の時間ユニットにおけるアップリンク時間リソースの数に基づき、上記第一の周波数領域リソース数を確定することができ、該端末装置は該第二の周波数領域リソース数、該第一の時間ユニットにおけるアップリンク時間リソースの数及び該第二の時間ユニットにおけるアップリンク時間リソースの数を組み合わせ、上記第一の周波数領域リソース数を確定することができる。また、該端末装置は予め定められたパラメータ又は予め定められたルールに応じて上記第一の周波数領域リソース数を確定することができ、本開示の実施例はこれに限定されない。
【００１９】
第一の態様の上記の可能な実施形態と組み合わせ、第一の態様の第七の可能な実施形態では、前記端末装置が第一の時間ユニットでターゲットアップリンク情報を伝送するための第一の伝送方式を確定する前に、前記情報伝送方法はさらに前記端末装置が前記ネットワーク装置から送信された、前記第一の時間ユニットで前記ターゲットアップリンク情報を伝送するための第一の周波数領域リソース数を受信することを含む。
【００２０】
上述したように、該第一の周波数領域リソース数は該端末装置が直接事前約束に基づいて確定されたものであってもよいし、ネットワーク装置によって端末装置に直接構成されたものであってもよく、本開示の実施例はこれに限定されない。
【００２１】
第一の態様の上記の可能な実施形態と組み合わせ、第一の態様の第八の可能な実施形態では、前記第一の周波数領域リソース数が
0006971308.tif 000002
であり、ここで、前記Ａと前記Ｂがいずれも正数であり、前記Ａが前記第二の周波数領域リソース数又は予め定められたパラメータであり、そして前記Ｂが予め定められたパラメータ、予め定められたルールに応じて確定されたパラメータ又は前記端末装置によって受信された前記ネットワーク装置から送信されたパラメータである。
【００２２】
理解すべきものとして、ＡとＢに基づいて確定された第一の周波数領域リソース数は上記の様々な組み合わせを用いることによって得られてもよく、本発明の実施例はこれに限定されない。
【００２３】
第一の態様の上記の可能な実施形態と組み合わせ、第一の態様の第九の可能な実施形態では、前記
0006971308.tif 000003
であり、ここで、前記Ｍが前記第二の時間ユニットにおけるアップリンク時間リソースの数であり、前記ｋが正整数であり、そして前記ｋが予め定められたパラメータ又は前記端末装置によって受信された前記ネットワーク装置から送信されたパラメータであり、又は前記
0006971308.tif 000004
であり、ここで、前記Ｍが前記第二の時間ユニットにおけるアップリンク時間リソースの数であり、前記ｔが正数であり、そして前記ｔが予め定められたパラメータ又は前記端末装置によって受信された前記ネットワーク装置から送信されたパラメータであり、又は前記
0006971308.tif 000005
であり、ここで、前記ｑが正数であり、そして前記ｑが予め定められたパラメータ又は前記端末装置によって受信された前記ネットワーク装置から送信されたパラメータである。
【００２４】
第一の態様の上記の可能な実施形態と組み合わせ、第一の態様の第十の可能な実施形態では、前記端末装置が第一の時間ユニットでターゲットアップリンク情報を伝送するための第一の伝送方式を確定する前に、前記情報伝送方法はさらに前記端末装置が前記ネットワーク装置から送信された第一の送信電力制御コマンドを受信することであって、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられることを含み、前記端末装置が第一の時間ユニットでターゲットアップリンク情報を伝送するための第一の伝送方式を確定することは、前記端末装置が前記第一の送信電力制御コマンドに基づき、前記第一の時間ユニットで前記ターゲットアップリンク情報を伝送するための第一の送信電力を確定することを含む。
【００２５】
理解すべきものとして、該第一の時間ユニットと第二の時間ユニットは独立した電力制御方式を用いることができ、統一された電力制御方式を用いることもでき、即ち該第一の電力調整情報は第一の時間ユニットで該ターゲットアップリンク情報を伝送するための送信電力のみを調整することに用いられてもよく、第一の時間ユニットで該ターゲットアップリンク情報を伝送するための送信電力及び第二の時間ユニットで該ターゲットアップリンク情報を伝送するための送信電力を調整することに用いられてもよく、本開示の実施例はこれに限定されない。
【００２６】
第一の態様の上記の可能な実施形態と組み合わせ、第一の態様の第十一の可能な実施形態では、前記端末装置が前記第一の時間ユニットでターゲットアップリンク情報を伝送するための第一の伝送方式を確定することは、前記端末装置が第一の情報に基づき、前記第一の時間ユニットで前記ターゲットアップリンク情報を伝送するための第一のリソースインデックスを確定することを含み、ここで、前記第一の情報が第二の情報と異なり、そして前記第二の情報が前記第二の時間ユニットで前記ターゲットアップリンク情報を伝送するための第二のリソースインデックスを確定するために前記端末装置によって使用される。
【００２７】
具体的には、上記第一の情報は直接具体的なリソースインデックスであってもよいし、リソースインデックスに関連する他のパラメータ、例えばダウンリンク制御シグナリングに占有された物理リソースインデックス、又はダウンリンクデータチャネルに占有された物理リソースインデックス、又は他の上位層シグナリングであってもよく、本開示の実施例はこれに限定されない。
【００２８】
第一の態様の上記の可能な実施形態と組み合わせ、第一の態様の第十二の可能な実施形態では、前記端末装置が第一の時間ユニットでターゲットアップリンク情報を伝送するための第一の伝送方式を確定することは、前記端末装置が第三の情報及び第一のアルゴリズムに基づき、前記第一の時間ユニットで前記ターゲットアップリンク情報を伝送するための第一のリソースインデックスを確定することを含み、ここで、前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記端末装置によって使用される。
【００２９】
具体的には、上記第三の情報はネットワーク装置から端末装置に送信された設定シグナリング、例えばダウンリンク制御シグナリング、上位層シグナリングなどであってもよく、本開示の実施例はこれに限定されない。上記第一のアルゴリズムは予め定められたアルゴリズムであってもよいし、ネットワーク装置から該端末装置に構成されたアルゴリズムであってもよく、本開示の実施例はこれに限定されない。
【００３０】
第一の態様の上記の可能な実施形態と組み合わせ、第一の態様の第十三の可能な実施形態では、前記ターゲットアップリンク情報のタイプが周期的ＣＳＩである場合、前記第一の前処理方式は前記周期的ＣＳＩにおける優先度が最も高い情報を選択して伝送することであり、前記ターゲットアップリンク情報のタイプがＡＣＫ／ＮＡＣＫ情報である場合、前記第一の前処理方式は前記ＡＣＫ／ＮＡＣＫ情報に対してバンドリングを実行することである。
【００３１】
第二の態様による情報伝送方法は、ネットワーク装置が、端末装置が第一の伝送ユニットで第一の伝送方式を用いて送信したターゲットアップリンク情報を受信することであって、前記第一の伝送方式が、前記端末装置が第二の時間ユニットで前記ターゲットアップリンク情報を伝送する第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なることを含む。
【００３２】
本開示の実施例による情報伝送方法では、ネットワーク装置は該端末装置が第一の伝送方式を用いて送信したターゲットアップリンク情報を受信し、ここで、該第一の伝送方式が、該端末装置が該第一の時間ユニットと異なる第二の時間ユニットで該ターゲットアップリンク情報を伝送するために用いる第二の伝送方式と異なる。このようにして、該ネットワーク装置は該端末装置が異なる伝送方式を用いて異なる時間ユニットで送信した該ターゲットアップリンク情報を受信することができ、システムにおける時間リソース割り当ての柔軟性を高め、それによってシステム性能を向上させることができる。
【００３３】
第二の態様の第一の可能な実施形態では、前記ターゲットアップリンク情報のタイプは確認／非確認（ＡＣＫ／ＮＡＣＫ）情報及び／又は周期的チャネル状態情報（ＣＳＩ）を含む。
【００３４】
第二の態様の上記の可能な実施形態と組み合わせ、第二の態様の第二の可能な実施形態では、前記第一の伝送方式に含まれる下記の方式のうちの少なくとも一つが前記第二の伝送方式に含まれる下記の方式のうちの少なくとも一つと異なる：前記ターゲットアップリンク情報に対する前記端末装置の前処理方式、前記端末装置が前記ターゲットアップリンク情報を伝送するために用いる伝送モード即ち多入力多出力（ＭＩＭＯ）伝送モード、前記端末装置が前記ターゲットアップリンク情報を伝送するために用いる周波数領域リソース数、前記端末装置が前記ターゲットアップリンク情報を伝送するために用いる送信電力、及び前記端末装置が前記ターゲットアップリンク情報を伝送するために用いるリソースのリソースインデックスである。
【００３５】
第二の態様の上記の可能な実施形態と組み合わせ、第二の態様の第三の可能な実施形態では、前記ネットワーク装置が、前記端末装置が第一の伝送ユニットで第一の伝送方式を用いて送信したターゲットアップリンク情報を受信する前に、前記情報伝送方法はさらに前記ネットワーク装置が前記端末装置へ前記第一の時間ユニットで前記ターゲットアップリンク情報を伝送するための第一の伝送モードを送信することを含む。
【００３６】
第二の態様の上記の可能な実施形態と組み合わせ、第二の態様の第四の可能な実施形態では、前記ネットワーク装置が、前記端末装置が第一の伝送ユニットで第一の伝送方式を用いて送信したターゲットアップリンク情報を受信する前に、前記情報伝送方法はさらに前記ネットワーク装置が前記端末装置へ前記第一の時間ユニットで前記ターゲットアップリンク情報を伝送するための第一の周波数領域リソース数を送信することを含む。
【００３７】
第二の態様の上記の可能な実施形態と組み合わせ、第二の方面の第五の可能な実施形態では、前記第一の周波数領域リソース数が
0006971308.tif 000006
であり、ここで、前記Ａと前記Ｂがいずれも正数であり、前記Ａが前記第二の周波数領域リソース数又は予め定められたパラメータであり、そして前記Ｂが予め定められたパラメータ、予め定められたルールに応じて確定されたパラメータ又は前記端末装置によって受信された前記ネットワーク装置から送信されたパラメータである。
【００３８】
第二の態様の上記の可能な実施形態と組み合わせ、第二の態様の第六の可能な実施形態では、前記
0006971308.tif 000007
であり、ここで、前記Ｍが前記第二の時間ユニットにおけるアップリンク時間リソースの数であり、前記ｋが正整数であり、そして前記ｋが予め定められたパラメータ又は前記端末装置によって受信された前記ネットワーク装置から送信されたパラメータであり、又は前記
0006971308.tif 000008
であり、ここで、前記Ｍが前記第二の時間ユニットにおけるアップリンク時間リソースの数であり、前記ｔが正数であり、そして前記ｔが予め定められたパラメータ又は前記端末装置によって受信された前記ネットワーク装置から送信されたパラメータであり、又は前記
0006971308.tif 000009
であり、ここで、前記ｑが正数であり、且つ前記ｑが予め定められたパラメータ又は前記端末装置によって受信された前記ネットワーク装置から送信されたパラメータである。
【００３９】
第二の態様の上記の可能な実施形態では、第二の態様の第七の可能な実施形態では、前記ネットワーク装置が、前記端末装置が第一の伝送ユニットで第一の伝送方式を用いて送信したターゲットアップリンク情報を受信する前に、前記情報伝送方法はさらに前記ネットワーク装置が前記端末装置へ第一の送信電力制御コマンドを送信することであって、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられることを含む。
【００４０】
第二の態様の上記の可能な実施形態と組み合わせ、第二の態様の第八の可能な実施形態では、前記ネットワーク装置が、前記端末装置が第一の伝送ユニットで第一の伝送方式を用いて送信したターゲットアップリンク情報を受信する前に、前記情報伝送方法はさらに前記ネットワーク装置が前記端末装置へ第一の情報を送信することであって、ここで、前記第一の情報が前記第一の時間ユニットで前記ターゲットアップリンク情報を伝送するための第一のリソースインデックスを確定するために前記端末装置によって使用され、そして前記第一の情報が第二の情報と異なり、前記第二の情報が前記第二の時間ユニットで前記ターゲットアップリンク情報を伝送するための第二のリソースインデックスを確定するために前記端末装置によって使用されることを含む。
【００４１】
第二の態様の上記の可能な実施形態と組み合わせ、第二の態様の第九の可能な実施形態では、前記ネットワーク装置は前記端末装置へ第三の情報と第一のアルゴリズムを送信し、ここで、前記第三の情報と前記第一のアルゴリズムが前記第一の時間ユニットで前記ターゲットアップリンク情報を伝送するための第一のリソースインデックスを確定するために前記端末装置によって使用され、そして前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記端末装置によって使用される。
【００４２】
第二の態様の上記の可能な実施形態では、第二の態様の第十の可能な実施形態では、前記ターゲットアップリンク情報のタイプが周期的ＣＳＩである場合、前記第一の前処理方式は前記周期的ＣＳＩにおける優先度が最も高い情報を選択して伝送することであり、又は前記ターゲットアップリンク情報のタイプがＡＣＫ／ＮＡＣＫ情報である場合、前記第一の前処理方式は前記ＡＣＫ／ＮＡＣＫ情報に対してバンドリングを実行することである。
【００４３】
第二の態様の上記の可能な実施形態と組み合わせ、第二の態様の第十一の可能な実施形態では、前記ネットワーク装置が、端末装置が第一の伝送ユニットで第一の伝送方式を用いて送信したターゲットアップリンク情報を受信する前に、前記情報伝送方法はさらに前記ネットワーク装置が前記端末装置へ第一の通知メッセージを送信することであって、前記第一の通知メッセージが前記第一の時間ユニット及び前記第二の時間ユニットで前記ターゲットアップリンク情報を伝送することができることを前記端末装置に通知することに用いられることを含む。
【００４４】
第三の態様による情報伝送装置は、上記第一の態様又は第一の態様のいずれかの可能な実施形態における方法を実行することに用いられる。具体的には、該装置は上記第一の態様又は第一の態様のいずれかの可能な実施形態における方法を実行するためのユニットを備える。
【００４５】
第四の態様による情報伝送装置は上記第二の態様又は第二の態様のいずれかの可能な実施形態における方法を実行することに用いられる。具体的には、該装置は上記第二の態様又は第二の態様のいずれかの可能な実施形態における方法を実行するためのユニットを備える。
【００４６】
第五の態様による情報伝送装置は、受信機、送信機、メモリ、プロセッサとバスシステムを備える。ここで、該受信機、該送信機、該メモリと該プロセッサは該バスシステムを介して接続し、該メモリは命令を記憶することに用いられ、該プロセッサは該メモリに記憶された命令を実行し、信号を受信するように受信機を制御し、信号を送信するように送金機を制御することに用いられ、そして該プロセッサが該メモリに記憶された命令を実行する場合、該実行により該プロセッサは第一の態様の方法又は第一の態様のいずれかの可能な実施形態における方法を実行する。
【００４７】
第六の態様による情報伝送装置は、受信機、送信機、メモリ、プロセッサとバスシステムを備える。ここで、該受信機、該送信機、該メモリと該プロセッサは該バスシステムを介して接続し、該メモリは命令を記憶することに用いられ、該プロセッサが該メモリに記憶された命令を実行し、信号を受信するように受信機を制御し、信号を送信するように送信機を制御することに用いられ、そして該プロセッサが該メモリに記憶された命令を実行する場合、該実行により該プロセッサは第二の態様の方法又は第二の態様のいずれかの可能な実施形態における方法を実行する。
【００４８】
第七の態様による情報伝送システムは、上記第三の態様又は第三の態様のいずれかの可能な実施形態における装置及び上記第四の態様又は第四の態様のいずれかの可能な実施形態における装置を備え、又は
該システムは上記第五の態様又は第五の態様のいずれかの可能な実施形態における装置及び上記第六の態様又は第六のいずれかの可能な実施形態における装置を備える。
【００４９】
第八の態様によるコンピュータ可読媒体は、第一の態様又は第一の態様のいずれかの可能な実施形態における方法を実行するための命令を含むコンピュータプログラムを記憶することに用いられる。
【００５０】
第九の態様によるコンピュータ可読媒体は、第二の態様又は第二の態様のいずれかの可能な実施形態における方法を実行するための命令を含むコンピュータプログラムを記憶することに用いられる。
【図面の簡単な説明】
【００５１】
【図１】本開示の実施例による情報伝送方法の概略フローチャートである。
【図２】本開示の実施例による別の情報伝送方法の概略フローチャートである。
【図３】本開示の実施例による情報伝送装置の概略ブロック図である。
【図４】本開示の実施例による別の情報伝送装置の概略ブロック図である。
【図５】本開示の実施例による別の情報伝送装置の概略ブロック図である。
【図６】本開示の実施例による別の情報伝送装置の概略ブロック図である。
【発明を実施するための形態】
【００５２】
本開示の実施例の技術的解決策をより明確に説明するために、実施例又は従来技術の説明に必要な図面を簡単に説明し、明らかに、以下に記載される図面が本開示のいくつかの実施例だけであり、当業者であれば、創造的な労力を要することなく、これらの図面に基づいて他の図面を得ることができる。
【００５３】
以下に本開示の実施例の図面を組み合わせながら、本開示の実施例における技術的解決策を明確で、全面的に説明し、明らかに、説明される実施例は本開示の一部の実施例だけであり、全ての実施例ではない。本開示の実施例に基づき、当業者が創造的な労力を要せずに得た他の実施例は、全て本開示の保護範囲に属する。
【００５４】
理解すべきものとして、本開示の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ「ＵＭＴＳ」と略称）又はワールドワイドインターオペラビリティマイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００５５】
また、理解すべきものとして、本開示の実施例では、端末装置はユーザ装置（Ｕｓｅｒ  Ｅｑｕｉｐｍｅｎｔ：「ＵＥ」と略称）、端末装置、移動局（Ｍｏｂｉ１ｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」と略称）を介して一つ又は複数のコアネットワークと通信を行うことができ、例えば、端末は移動電話（又は「セルラー」電話）又は移動端末を備えたコンピュータなどであってもよく、例えば、端末はさらにポータブル型、ポケット型、ハンドヘルド型、コンピュータ内蔵型又は車載移動端末であってもよく、それらが無線アクセスネットワークと音声及び／又はデータを交換する。
【００５６】
ネットワーク装置は移動装置との通信に用いられてもよく、ネットワーク装置は、グローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）又は符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）における基地局（ＢＴＳ：Ｂａｓｅ  Ｔｒａｎｓｃｅｉｖｅｒ  Ｓｔａｔｉｏｎ：「ＢＴＳ」と略称）であってもよいし、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）における基地局（ＮｏｄｅＢ：「ＮＢ」と略称）であってもよいし、ＬＴＥにおける進化型基地局（ｅＮＢ又はｅＮｏｄｅＢ：Ｅｖｏｌｕｔｉｏｎａｌ  Ｎｏｄｅ  Ｂ：「ｅＮＢ」又は「ｅＮｏｄｅＢ」と略称）であってもよく、又は中継局又はアクセスポイント、又は車載デバイス、ウェアラブルデバイス及び将来の５Ｇネットワークにおけるアクセスネットワーク装置であってもよい。
【００５７】
図１は本開示の実施例による信号伝送方法１００の概略フローチャートである。図１に信号伝送方法のステップ又は操作が示されるが、これらのステップ又は操作は例だけであり、本開示の実施例は他の操作又は図１の各操作の変形を実行することができ、該方法１００はＳ１１０とＳ１２０を含む。
【００５８】
Ｓ１１０において、端末装置は第一の時間ユニットでターゲットアップリンク情報を伝送するための第一の伝送方式を確定し、前記第一の伝送方式が、前記端末装置が第二の時間ユニットで前記ターゲットアップリンク情報を伝送するための第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なる。
【００５９】
Ｓ１２０において、前記端末装置は前記第一の伝送方式を用いてネットワーク装置へ前記ターゲットアップリンク情報を送信する。
【００６０】
本開示の実施例による情報伝送方法では、端末装置は第一の時間ユニットでターゲットアップリンク情報を伝送するための第一の伝送方式を確定し、そして該第一の伝送方式を用いてネットワーク装置へ該ターゲットアップリンク情報を送信し、ここで、該第一の伝送方式が、該端末装置が該第一の時間ユニットと異なる第二の時間ユニットで該ターゲットアップリンク情報を伝送するための第二の伝送方式と異なる。このようにして、該端末装置は異なる伝送方式を用いて異なる時間ユニットで該ターゲットアップリンク情報を送信することができ、これによりシステムにおける時間リソースの割り当ての柔軟性を高め、それによってシステム性能を向上させることができる。
【００６１】
図２は本開示の実施例による別の情報伝送方法２００の概略フローチャートである。図２に信号伝送方法のステップ又は操作が示されるが、これらのステップ又は操作は例だけであり、本開示の実施例は他の操作又は図２の各操作の変形を実行することができ、該方法２００はＳ２１０を含む。
【００６２】
Ｓ２１０において、ネットワーク装置は端末装置が第一の伝送ユニットで第一の伝送方式を用いて送信したターゲットアップリンク情報を受信し、前記第一の伝送方式が、前記端末装置が第二の時間ユニットで前記ターゲットアップリンク情報を伝送するための第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なる。
【００６３】
本開示の実施例による情報伝送方法では、ネットワーク装置は端末装置が第一の伝送方式を用いて送信したターゲットアップリンク情報を受信し、ここで、該第一の伝送方式が、該端末装置が該第一の時間ユニットと異なる第二の時間ユニットで該ターゲットアップリンク情報を伝送するために用いる第二の伝送方式と異なる。このようにして、該ネットワーク装置は該端末装置が異なる伝送方式を用いて異なる時間ユニットで送信した該ターゲットアップリンク情報を受信することができ、システムにおける時間リソース割り当ての柔軟性を高め、それによってシステム性能を向上させることができる。
【００６４】
理解すべきものとして、本開示の実施例では、異なるオブジェクトを区分し、例えば異なる「時間ユニット」を区分し、又は異なる「伝送方式」を区分するために番号「第一」と「第二」が導入され、以下に示される番号も異なるオブジェクトを区分するためのものであり、これらは本開示の実施例に対する限定を構成しない。
【００６５】
本発明の実施例では、第一の伝送ユニットは混合時間ユニットであってもよく、第二の伝送ユニットは従来のアップリンク時間ユニットであってもよいが、本発明の実施例はこれに限定されない。
【００６６】
本開示の実施例では、上記各プロセスの番号の大きさが実行順序を意味せず、各プロセスの実行順序はその機能と内部ロジックによって確定されるべきであり、本開示の実施例の実施プロセスのいかなる限定を構成すべきではないと理解すべきである。
【００６７】
選択可能に、上記時間ユニットは一つの伝送ブロック（Ｔｒａｎｓｐｏｒｔ  Ｂｌｏｃｋ：「ＴＢ」と略称）として理解されてもよい。例えば、該時間ユニットは信号を伝送するための時間領域物理リソースの基本単位であってもよく、具体的にサブフレーム、伝送時間間隔（Ｔｒａｎｓｍｉｓｓｉｏｎ  Ｔｉｍｅ  Ｉｎｔｅｒｖａｌ：「ＴＴＩ」と略称）、タイムスロット、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）シンボル又はリソースユニット（Ｒｅｓｏｕｒｃｅ  Ｅｌｅｍｅｎｔ：「ＲＥ」と略称）などであってもよく、本開示の実施例はこれに限定されない。
【００６８】
一つの選択可能な実施例では、Ｓ１１０において、端末装置が第一の時間ユニットでターゲットアップリンク情報を伝送するための第一の伝送方式を確定する前に、前記情報伝送方法はさらに、
前記端末装置が前記ネットワーク装置から送信された第一の指示メッセージを受信し、前記第一の指示メッセージが、前記第一の時間ユニットで前記第一の伝送方式を用いて前記ターゲットアップリンク情報を伝送するように前記端末装置に指示することに用いられることを含む。
【００６９】
Ｓ１１０において前記端末装置が第一の時間ユニットでターゲットアップリンク情報を第一の伝送方式で伝送することは、
前記端末装置が前記第一の指示情報に基づき、前記第一の伝送方式を確定することを含む。
【００７０】
それに対応して、Ｓ２１０において前記端末装置が第一の伝送ユニットで第一の伝送方式を用いて送信したターゲットアップリンク情報を受信する前に、前記ネットワーク装置は前記端末装置へ第一の指示情報を送信し、前記第一の指示情報が前記第一の時間ユニットで前記第一の伝送方式を用いて前記ターゲットアップリンク情報を伝送するように前記端末装置に指示する。
【００７１】
一つの選択可能な実施例として、Ｓ１１０において前記端末装置が第一の時間ユニットでターゲットアップリンク情報を伝送するための第一の伝送方式を確定することは、
前記端末装置が予め定められたルールに応じて、前記第一の伝送方式を確定することを含む。
【００７２】
具体的には、該端末装置は第一の時間ユニットでターゲットアップリンク情報を伝送するための第一の伝送方式を複数の方式により確定することができ、上述したように、該第一の伝送方式がネットワーク装置によって示されるもの、即ちネットワーク装置から送信された第一の指示情報を受信することにより確定されるものであってもよいし、該端末装置が予め定められたルールに応じて確定されるものもよく、本開示の実施例はこれに限定されない。
【００７３】
一つの選択可能な実施例として、Ｓ１１０において前記端末装置が第一の時間ユニットでターゲットアップリンク情報を伝送するための第一の伝送方式を確定する前に、前記情報伝送方法はさらに前記端末装置がネットワーク装置から送信された第一の通知メッセージを受信し、前記第一の通知メッセージが前記第一の時間ユニット及び前記第二の時間ユニットで前記ターゲットアップリンク情報を伝送することができることを前記端末装置に通知することを含む。
【００７４】
それに対応して、前記ネットワーク装置が、端末装置が第一の伝送ユニットで第一の伝送方式を用いて送信したターゲットアップリンク情報を受信する前に、前記情報伝送方法はさらに前記ネットワーク装置が前記端末装置へ第一の通知メッセージを送信することを含む。
【００７５】
一つの選択可能な実施例として、前記ターゲットアップリンク情報のタイプは確認／非確認（ＡＣＫ／ＮＡＣＫ）情報及び／又は周期的チャネル状態情報（ＣＳＩ）を含む。
【００７６】
一つの選択可能な実施例として、前記第一の伝送方式に含まれる下記の方式のうちの少なくとも一つが前記第二の伝送方式に含まれる下記の方式のうちの少なくとも一つと異なる：前記ターゲットアップリンク情報に対する前記端末装置の前処理方式、前記端末装置が前記ターゲットアップリンク情報を伝送するために用いる伝送モード即ち多入力多出力（ＭＩＭＯ）伝送モード、前記端末装置が前記ターゲットアップリンク情報を伝送するために用いる周波数領域リソース数、前記端末装置が前記ターゲットアップリンク情報を伝送するために用いる送信電力、及び前記端末装置が前記ターゲットアップリンク情報を伝送するために用いるリソースのリソースインデックスである。
【００７７】
理解すべきものとして、上記前処理方式は圧縮処理であってもよいし、バンドリングであってもよく、本開示の実施例はこれに限定されない。上記伝送モードは送信ダイバーシティモードであってもよいし、空間多重化、ビームフォーミングなどの他の伝送モードであってもよく、本開示の実施例はこれに限定されない。
【００７８】
該第一の伝送方式が前記第一の時間ユニットで前記ターゲットアップリンク情報を伝送するための第一の伝送モードを少なくとも含む場合、該端末装置が該第一の伝送方式を確定することは、該端末装置が該第一の伝送モードを確定することを含む。具体的には、該端末装置は複数の方式により該第一の伝送モードを確定することができ、本開示の実施例はこれに限定されない。
【００７９】
一つの選択可能な実施例として、Ｓ１１０において前記端末装置が第一の時間ユニットでターゲットアップリンク情報を伝送するための第一の伝送方式を確定することは、
前記端末装置が前記第一の時間ユニットで前記ターゲットアップリンク情報を伝送するための第一の伝送モードを確定することを含み、ここで前記第一の伝送モードが予め定められた伝送モードである。
【００８０】
一つの選択可能な実施例として、Ｓ１１０において前記端末装置が第一の時間ユニットでターゲットアップリンク情報を伝送するための第一の伝送方式を確定する前に、前記情報伝送方法はさらに、
前記端末装置が前記ネットワーク装置から送信された、前記第一の時間ユニットで前記ターゲットアップリンク情報を伝送するための第一の伝送モードを受信することを含む。
【００８１】
それに対応して、前記ネットワーク装置が、前記端末装置が第一の伝送ユニットで第一の伝送方式を用いて送信したターゲットアップリンク情報を受信する前に、前記情報伝送方法はさらに、
前記ネットワーク装置が前記端末装置へ前記第一の時間ユニットで前記ターゲットアップリンク情報を伝送するための第一の伝送モードを送信することを含む。
【００８２】
上述したように、該第一の伝送モードは該端末装置が直接事前約束に基づいて確定された伝送モードであってもよいし、ネットワーク装置によって端末装置に直接構成された伝送モードであってもよい。理解すべきものとして、該端末装置は、第一の時間ユニットにおいて用いる第一の伝送モードが第二の時間ユニットにおいて用いる第二の伝送モードと同じでも異なっていてもよく、本開示の実施例はこれに限定されない。
【００８３】
該第一の伝送方式が前記第一の時間ユニットで前記ターゲットアップリンク情報を伝送するための第一の周波数領域リソース数を少なくとも含む場合、該端末装置が該第一の伝送方式を確定することは、該端末装置が該第一の周波数領域数を確定することを含む。理解すべきものとして、該端末装置は複数の方式により該第一の周波数領域リソース数を確定することができ、本開示の実施例はこれに限定されない。
【００８４】
一つの選択可能な実施例として、前記端末装置が第一の時間ユニットでターゲットアップリンク情報を伝送するための第一の伝送方式を確定することは、
前記端末装置が第二の周波数領域リソース数、前記第一の時間ユニットにおけるアップリンク時間リソースの数及び前記第二の時間ユニットにおけるアップリンク時間リソースの数のうちの少なくとも一つに基づき、前記第一の時間ユニットで前記ターゲットアップリンク情報を伝送するための第一の周波数領域リソース数を確定することを含み、ここで、前記第二の周波数領域リソース数が、前記端末装置が前記第二の時間ユニットで前記ターゲットアップリンク情報を伝送するために用いる周波数領域リソース数であり、又は、
前記端末装置が予め定められたパラメータ又は予め定められたルールに応じて、前記第一の周波数領域リソース数を確定することを含む。
【００８５】
具体的には、該端末装置が複数の方式により該第一の周波数領域リソース数を確定することができ、該端末装置がターゲットアップリンク情報の大きさを知ったため、該端末装置は直接該第一の時間ユニットにおけるアップリンク時間リソースの数に基づき、上記第一の周波数領域リソース数を確定することができ、該端末装置は直接第二の時間ユニットにおける該ターゲットアップリンク情報を伝送するための第二の周波数領域リソース数に基づき、上記第一の周波数領域リソース数を確定することができ、該端末装置は該第二の周波数領域リソース数及び該第一の時間ユニットにおけるアップリンク時間リソースの数に基づき、上記第一の周波数領域リソース数を確定することができ、該端末装置は該第二の周波数領域リソース数、該第一の時間ユニットにおけるアップリンク時間リソースの数及び該第二の時間ユニットにおけるアップリンク時間リソースの数を組み合わせ、上記第一の周波数領域リソース数を確定することができる。また、該端末装置は予め定められたパラメータ又は予め定められたルールに応じて上記第一の周波数領域リソース数を確定することができ、本開示の実施例はこれに限定されない。
【００８６】
一つの選択可能な実施例では、前記端末装置が前記第一の伝送モードを確定する前に、前記情報伝送方法はさらに、
前記端末装置が前記ネットワーク装置から送信された、前記第一の時間ユニットで前記ターゲットアップリンク情報を伝送するための第一の周波数領域リソース数を受信することを含む。
【００８７】
それに対応して、前記ネットワーク装置が、前記端末装置が第一の伝送ユニットで第一の伝送方式を用いて送信したターゲットアップリンク情報を受信する前に、前記情報伝送方法はさらに、
前記ネットワーク装置が前記端末装置へ前記第一の周波数領域リソース数を送信することを含む。
【００８８】
上述したように、該第一の周波数領域リソース数は該端末装置が直接事前約束に基づいて確定されたものであってもよく、ネットワーク装置によって端末装置に直接構成されたものであってもよく、本開示の実施例はこれに限定されない。
【００８９】
理解すべきものとして、第二の周波数領域リソース数は該端末装置が第二の時間ユニットでターゲットアップリンク情報を伝送するための周波数領域リソース数であり、該第二の時間ユニットにおける該ターゲットアップリンク情報を伝送するための時間長が該第一の時間ユニットにおける該ターゲットアップリンク情報を伝送するための時間長より長く、したがって、該第一の時間ユニットにおけるターゲットアップリンク情報を伝送するための周波数領域リソース数が該第二の時間ユニットにおけるターゲットアップリンク情報を伝送するための周波数領域数以上であり、即ち第一の周波数領域リソース数が第二の周波数領域数以上である。
【００９０】
一つの選択可能な実施例として、前記第一の周波数領域リソース数が
0006971308.tif 000010
であり、ここで、前記Ａと前記Ｂがいずれも正数であり、前記Ａが前記第二の周波数領域リソース数又は予め定められたパラメータであり、そして前記Ｂが予め定められたパラメータ、予め定められたルールに応じて確定されたパラメータ又は前記端末装置によって受信された前記ネットワーク装置から送信されたパラメータである。
【００９１】
具体的には、該第一の周波数領域リソース数は
0006971308.tif 000011
であってもよく、ここでＡ及び／又はＢが予め定められたパラメータであってもよいし、該ネットワーク装置によって直接設定されたパラメータであってもよく、これは複数の可能な実施形態を含み、具体的に以下のいくつかの状況に分けられてもよい：（１）Ａが第二の周波数領域リソース数であり、Ｂが予め定められたパラメータ又はネットワーク装置から該端末装置に送信されたパラメータであり、この場合、該第一の周波数領域リソース数が第二の周波数領域リソース数に関連すること、（２）Ａが第二の周波数領域リソース数であり、Ｂが予め定められたルールに応じて確定されたパラメータであり、例えば
0006971308.tif 000012
であり、χが前記第一の伝送ユニットにおけるアップリンク時間リソースの数であり、この場合、該第一の周波数領域数が第二の周波数領域数及び第一の伝送ユニットにおけるアップリンク時間リソースの数に関連すること、（３）Ａが予め定められたパラメータであり、Ｂが予め定められたパラメータであり、即ち該第一の周波数領域数が予め定められたものであること、（４）Ａが予め定められたパラメータであり、Ｂがネットワーク装置から該端末装置に送信されたパラメータであり、該第一の周波数領域リソース数がネットワーク装置によって設定されたものとして理解されてもよいこと、（５）Ａが予め定められたパラメータであり、Ｂが予め定められたルールに応じて確定されたパラメータであり、例えば
0006971308.tif 000013
であり、χが前記第一の伝送ユニットにおけるアップリンク時間リソースの数であり、この場合、該第一の周波数領域リソース数が第一の伝送ユニットにおけるアップリンク時間リソースの数のみに関連する。理解すべきものとして、第一の周波数領域リソース数を確定する方法はさらに他の可能な組み合わせ方式であってもよく、本開示の実施例はこれに限定されない。
【００９２】
一つの選択可能な実施例として、前記
0006971308.tif 000014
であり、ここで、前記Ｍが前記第二の時間ユニットにおけるアップリンク時間リソースの数であり、前記ｋが正整数であり、そして前記ｋが予め定められたパラメータ又は前記端末装置によって受信された前記ネットワーク装置から送信されたパラメータであり、又は
前記
0006971308.tif 000015
であり、ここで、前記Ｍが前記第二の時間ユニットにおけるアップリンク時間リソースの数であり、前記ｔが正数であり、そして前記ｔが予め定められたパラメータ又は前記端末装置によって受信された前記ネットワーク装置から送信されたパラメータであり、又は
前記
0006971308.tif 000016
であり、ここで、ｑが正数であり、そして前記ｑが予め定められたパラメータ又は前記端末装置によって受信されたネットワーク装置から送信されたパラメータである。
【００９３】
一つの選択可能な実施例では、Ｓ１１０において前記端末装置が第一の時間ユニットでターゲットアップリンク情報を伝送するための第一の伝送方式を確定する前に、前記情報伝送方法はさらに、
前記端末装置が前記ネットワーク装置から送信された第一の送信電力制御コマンドを受信し、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられることを含み、
Ｓ１１０において前記端末装置が第一の時間ユニットでターゲットアップリンク情報を伝送するための第一の伝送方式を確定することは、
前記端末装置が前記第一の送信電力制御コマンドに基づき、前記第一の時間ユニットで前記ターゲットアップリンク情報を伝送するための第第一の送信電力を確定することを含む。
【００９４】
それに対応して、前記ネットワーク装置が、前記端末装置が第一の伝送ユニットで第一の伝送方式を用いて送信したターゲットアップリンク情報を受信する前に、前記情報伝送方法はさらに、
前記ネットワーク装置が前記端末装置へ第一の送信電力制御コマンドを送信することを含む。
【００９５】
具体的には、該第一の伝送方式が少なくとも第一の送信電力を含む場合、該端末装置が該第一の伝送方式を確定することは、該端末装置が該第一の送信電力を確定することを含む。該端末装置は該第一の送信電力を確定するために、ネットワーク装置から送信された第一の電力調整情報を受信することにより確定することができる。
【００９６】
一つの選択可能な実施例として、前記端末装置が第一の時間ユニットでターゲットアップリンク情報を伝送するための第一の伝送方式を確定することは、
前記端末装置が第一の情報に基づき、前記第一の時間ユニットで前記ターゲットアップリンク情報を伝送するための第一のリソースインデックスを確定することを含み、ここで、前記第一の情報が第二の情報と異なり、そして前記第二の情報が前記第二の時間ユニットで前記ターゲットアップリンク情報を伝送するための第二のリソースインデックスを確定するために前記端末装置によって使用される。
【００９７】
具体的には、該第一の伝送方式が少なくとも第一のリソースインデックスを含む場合、該端末装置が該第一の伝送方式を確定することは、該端末装置が該第一のリソースインデックスを確定することを含む。理解すべきものとして、第一の時間ユニットと第二の時間ユニットにそれぞれ対応する第一のリソースインデックスと第二のリソースインデックスが同じではない。したがって、該端末装置は第二の情報と異なる第一の情報に基づいて該第一のリソースインデックスを確定することができ、該第二の情報が、端末装置が第二の時間ユニットでターゲットアップリンク情報を伝送するために用いる第二のリソースインデックスを示すことに用いられる。
【００９８】
理解すべきものとして、上記第一の情報は直接具体的なリソースインデックスであってもよいし、リソースインデックスに関連する他のパラメータ、例えばダウンリンク制御シグナリングに占有された物理リソースインデックス、又はダウンリンクデータチャネルに占有された物理リソースインデックス、又は他の上位層シグナリングであってもよく、本開示の実施例はこれに限定されない。
【００９９】
一つの選択可能な実施例として、前記ネットワーク装置が、前記端末装置が第一の伝送ユニットで第一の伝送方式を用いて送信したターゲットアップリンク情報を受信する前に、前記情報伝送方法はさらに、
前記ネットワーク装置が前記端末装置へ第一の情報を送信することを含む。
【０１００】
一つの選択可能な実施例として、前記端末装置が第一の時間ユニットでターゲットアップリンク情報を伝送するための第一の伝送方式を確定することは、
前記端末装置が第三の情報及び第一のアルゴリズムに基づき、前記第一の時間ユニットで前記ターゲットアップリンク情報を伝送するための第一のリソースインデックスを確定することを含み、ここで、前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記端末装置によって使用される。
【０１０１】
具体的には、該第三の情報が、該端末装置が第一の時間ユニットでターゲットアップリンク情報を伝送するための第一のリソースインデックスを示すことに用いられるだけでなく、該端末装置が第二の時間ユニットでターゲットアップリンク情報を伝送するための第一のリソースインデックスを示すことに用いられる場合、該端末装置は、該第三の情報を第一のアルゴリズムと組み合わせることにより、該第一のリソースインデックスを確定することができる。ここで、第一のアルゴリズムは第二のアルゴリズムと異なる他のいずれかのアルゴリズムであってもよく、第二のアルゴリズムは該第三の情報を該第二のアルゴリズムと組み合わせ、第二のリソースインデックスを確定するために端末装置によって使用される。したがって、本開示の実施例では、該端末装置によって確定された第一のリソースインデックスも第二の時間ユニットで該ターゲットアップリンク情報を伝送するための第二のリソースインデックスと異なる。
【０１０２】
理解すべきものとして、上記第三の情報は、ネットワーク装置から端末装置に送信された設定シグナリング、例えばダウンリンク制御シグナリング、上位層シグナリングなどであってもよく、本開示の実施例はこれに限定されない。上記第一のアルゴリズムは予め定められたアルゴリズムであってもよいし、ネットワーク装置によって該端末装置に構成されたアルゴリズムであってもよく、本開示の実施例はこれに限定されない。
【０１０３】
一つの選択可能な実施例として、前記ネットワーク装置が、前記端末装置が第一の伝送ユニットで第一の伝送方式を用いて送信したターゲットアップリンク情報を受信する前に、前記情報伝送方法はさらに、
前記ネットワーク装置が前記端末装置へ第三の情報と第一のアルゴリズムを送信することを含む。
【０１０４】
一つの選択可能な実施例として、前記ターゲットアップリンク情報のタイプが周期的ＣＳＩである場合、前記第一の前処理方式は前記周期的ＣＳＩにおける優先度が最も高い情報を選択して伝送することであり、又は
前記ターゲットアップリンク情報のタイプがＡＣＫ／ＮＡＣＫ情報である場合、前記第一の前処理方式は前記ＡＣＫ／ＮＡＣＫ情報に対してバンドリングを実行することである。
【０１０５】
図１と図２を組み合わせ、本開示の実施例による情報伝送方法を詳細に説明し、以下に図３〜図６を組み合わせ、本開示の実施例による情報伝送装置を詳細に説明する。
【０１０６】
図３は本開示の実施例による情報伝送装置３００の概略図であり、該装置は例えば方法３００における端末装置であってもよく、該装置３００は確定ユニット３１０と送信ユニット３２０を備える。
【０１０７】
確定ユニット３１０は、第一の時間ユニットでターゲットアップリンク情報を伝送するための第一の伝送方式を確定するように構成され、前記第一の伝送方式が、前記装置が第二の時間ユニットで前記ターゲットアップリンク情報を伝送するための第二の伝送方式と異なり、且つ前記第二の時間ユニットにおける前記ターゲットアップリンク情報を伝送するための時間長が前記第一の時間ユニットにおける前記ターゲットアップリンク情報を伝送するための時間長と異なる。
【０１０８】
送信ユニット３２０は、前記第一の伝送方式を用いてネットワーク装置へ前記ターゲットアップリンク情報を送信するように構成される。
【０１０９】
本開示の実施例による情報伝送装置では、端末装置は第一の時間ユニットでターゲットアップリンク情報を伝送するための第一の伝送方式を確定し、そして該第一の伝送方式を用いてネットワーク装置へ該ターゲットアップリンク情報を送信し、ここで、該第一の伝送方式が、該端末装置が該第一の時間ユニットと異なる第二の時間ユニットで該ターゲットアップリンク情報を伝送するための第二の伝送方式と異なる。このようにして、該端末装置は異なる伝送方式を用いて異なる時間ユニットで該ターゲットアップリンク情報を送信することができ、これによりシステムにおける時間リソースの割り当ての柔軟性を高め、それによってシステム性能を向上させることができる。
【０１１０】
一つの選択可能な実施例として、前記ターゲットアップリンク情報のタイプは確認／非確認（ＡＣＫ／ＮＡＣＫ）情報及び／又は周期的チャネル状態情報（ＣＳＩ）を含む。
【０１１１】
一つの選択可能な実施例として、前記第一の伝送方式に含まれる下記の方式のうちの少なくとも一つが前記第二の伝送方式に含まれる下記の方式のうちの少なくとも一つと異なる：前記ターゲットアップリンク情報に対する前記装置３００の前処理方式、前記装置３００が前記ターゲットアップリンク情報を伝送するために用いる伝送モード、前記装置３００が前記ターゲットアップリンク情報を伝送するために用いる周波数領域リソース数、前記端末装置が前記ターゲットアップリンク情報を伝送するために用いる送信電力、及び前記装置３００が前記ターゲットアップリンク情報を伝送するために用いるリソースのリソースインデックスである。
【０１１２】
一つの選択可能な実施例として、前記確定ユニット３１０は具体的に前記第一の時間ユニットで前記ターゲットアップリンク情報を伝送するための第一の伝送モードを確定するように構成され、ここで、前記第一の伝送モードが予め定められた伝送モードである。
【０１１３】
一つの選択可能な実施例として、前記装置３００はさらに第一の時間ユニットでターゲットアップリンク情報を伝送するための第一の伝送方式を確定する前に、前記ネットワーク装置から送信された、前記第一の時間ユニットで前記ターゲットアップリンク情報を伝送するための第一の伝送モードを受信するように構成される第一の受信ユニットを備える。
【０１１４】
一つの選択可能な実施例として、前記確定ユニット３１０は具体的に第二の周波数領域リソース数、前記第一の時間ユニットにおけるアップリンク時間リソースの数及び前記第二の時間ユニットにおけるアップリンク時間リソースの数のうちの少なくとも一つに基づき、前記第一の時間ユニットで前記ターゲットアップリンク情報を伝送するための第一の周波数領域リソース数を確定するように構成され、ここで、前記第二の周波数領域リソース数が、前記装置３００が前記第二の時間ユニットで前記ターゲットアップリンク情報を伝送するために用いる周波数領域リソース数であり、又は予め定められたパラメータ又は予め定められたルールに応じて、前記第一の周波数領域リソース数を確定するように構成される。
【０１１５】
一つの選択可能な実施例として、前記装置３００は、さらに第一の時間ユニットでターゲットアップリンク情報を伝送するための第一の伝送方式を確定する前に、前記ネットワーク装置から送信された、前記第一の時間ユニットで前記ターゲットアップリンク情報を伝送するための第一の周波数領域リソース数を受信するように構成される第二の受信ユニットを備える。
【０１１６】
一つの選択可能な実施例として、前記第一の周波数領域リソース数が
0006971308.tif 000017
であり、ここで、前記Ａと前記Ｂがいずれも正数であり、前記Ａが前記第二の周波数領域リソース数又は予め定められたパラメータであり、そして前記Ｂが予め定められたパラメータ、予め定められたルールに応じて確定されたパラメータ又は前記装置３００によって受信された前記ネットワーク装置から送信されたパラメータである。
【０１１７】
一つの選択可能な実施例として、前記
0006971308.tif 000018
であり、ここで、前記Ｍが前記第二の時間ユニットにおけるアップリンク時間リソースの数であり、前記ｋが正整数であり、そして前記ｋが予め定められたパラメータ又は前記装置３００によって受信された前記ネットワーク装置から送信されたパラメータであり、又は
0006971308.tif 000019
であり、ここで、前記Ｍが前記第二の時間ユニットにおけるアップリンク時間リソースの数であり、前記ｔが正数であり、そして前記ｔが予め定められたパラメータ又は前記装置３００によって受信された前記ネットワーク装置から送信されたパラメータであり、又は前記
0006971308.tif 000020
であり、ここで、前記ｑが正数であり、且つ前記ｑが予め定められたパラメータ又は前記装置３００によって受信された前記ネットワーク装置から送信されたパラメータである。
【０１１８】
一つの選択可能な実施例として、前記装置３００はさらに、第一の時間ユニットでターゲットアップリンク情報を伝送するための第一の伝送方式を確定する前に、前記ネットワーク装置から送信された第一の送信電力制御コマンドを受信するように構成され、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられる第三の受信ユニットを備え、前記確定ユニット３１０は具体的に前記第一の送信電力制御コマンドに基づき、前記第一の時間ユニットで前記ターゲットアップリンク情報を伝送するための第一の送信電力を確定するように構成される。
【０１１９】
一つの選択可能な実施例として、前記確定ユニット３１０は具体的に第一の情報に基づき、前記第一の時間ユニットで前記ターゲットアップリンク情報を伝送するための第一のリソースインデックスを確定するように構成され、ここで、前記第一の情報が第二の情報と異なり、且つ前記第二の情報が前記第二の時間ユニットで前記ターゲットアップリンク情報を伝送するための第二のリソースインデックスを確定するために前記装置３００によって使用される。
【０１２０】
一つの選択可能な実施例として、前記確定ユニット３１０は具体的に第三の情報及び第一のアルゴリズムに基づき、前記第一の時間ユニットで前記ターゲットアップリンク情報を伝送するための第一のリソースインデックスを確定するように構成され、ここで、前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記装置３００によって使用される。
【０１２１】
一つの選択可能な実施例として、前記ターゲットアップリンク情報のタイプが周期的ＣＳＩである場合、前記第一の前処理方式は前記周期的ＣＳＩにおける優先度が最も高い情報を選択して伝送することであり、前記ターゲットアップリンク情報のタイプがＡＣＫ／ＮＡＣＫ情報である場合、前記第一の前処理方式は前記ＡＣＫ／ＮＡＣＫ情報に対してバンドリングを実行することである。
【０１２２】
一つの選択可能な実施例として、前記装置３００はさらに第一の伝送ユニットで第一の伝送方式を確定する前に、前記ネットワーク装置から送信された第一の通知メッセージを受信するように構成され、前記第一の通知メッセージが前記第一の時間ユニット及び前記第二の時間ユニットで前記ターゲットアップリンク情報を伝送することができることを前記装置に通知することに用いられる第四の受信ユニットを備える。
【０１２３】
理解すべきものとして、ここでの装置３００は機能モジュールの形態で具現化される。ここでの用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置３００が具体的に上記実施例における端末装置であってもよく、装置３００が上記方法の実施例における、端末装置に対応する各プロセス及び／又はステップを実行することに用いられてもよいことを理解でき、繰り返しを回避するために、ここで説明を省略する。
【０１２４】
図４は本開示の実施例による情報伝送装置４００の概略図であり、該装置は例えば方法４００における端末装置であってもよく、該装置４００は、受信ユニット４１０を備える。
【０１２５】
受信ユニット４１０は、端末装置が第一の伝送ユニットで第一の伝送方式を用いて送信したターゲットアップリンク情報を受信するように構成され、前記第一の伝送方式が、前記端末装置が第二の時間ユニットで前記ターゲットアップリンク情報を伝送するための第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なる。
【０１２６】
本開示の実施例による情報伝送装置では、ネットワーク装置は端末装置が第一の伝送方式を用いて送信したターゲットアップリンク情報を受信し、ここで、該第一の伝送方式が、該端末装置が該第一の時間ユニットと異なる第二の時間ユニットで該ターゲットアップリンク情報を伝送するために用いる第二の伝送方式と異なる。このようにして、該ネットワーク装置は該端末装置が異なる伝送方式を用いて異なる時間ユニットで送信した該ターゲットアップリンク情報を受信することができ、システムにおける時間リソース割り当ての柔軟性を高め、それによってシステム性能を向上させることができる。
【０１２７】
一つの選択可能な実施例として、前記ターゲットアップリンク情報のタイプは確認／非確認ＡＣＫ／ＮＡＣＫ情報及び／又は周期的チャネル状態情報（ＣＳＩ）を含む。
【０１２８】
一つの選択可能な実施例として、前記第一の伝送方式に含まれる下記の方式のうちの少なくとも一つが前記第二の伝送方式に含まれる下記の方式のうちの少なくとも一つと異なる：前記ターゲットアップリンク情報に対する前記端末装置の前処理方式、前記端末装置が前記ターゲットアップリンク情報を伝送するために用いる伝送モード即ち多入力多出力（ＭＩＭＯ）伝送モード、前記端末装置が前記ターゲットアップリンク情報を伝送するために用いる周波数領域リソース数、前記端末装置が前記ターゲットアップリンク情報を伝送するために用いる送信電力、及び前記端末装置が前記ターゲットアップリンク情報を伝送するために用いるリソースのリソースインデックスである。
【０１２９】
一つの選択可能な実施例として、前記装置は、前記端末装置へ前記第一の時間ユニットで前記ターゲットアップリンク情報を伝送するための第一の伝送モードを送信するように構成される第一の送信ユニットを備える。
【０１３０】
一つの選択可能な実施例として、前記装置はさらに前記第一の時間ユニットで前記ターゲットアップリンク情報を伝送するための第一の周波数領域リソース数を前記端末装置に送信するように構成される第二の送信ユニットを備える。
【０１３１】
一つの選択可能な実施例として、前記第一の周波数領域リソース数は
0006971308.tif 000021
であり、ここで、前記Ａ及び／又は前記Ｂがいずれも正数であり、前記Ａが前記第一の時間ユニットで前記ターゲットアップリンク情報を伝送するための第二の周波数領域リソース数又は予め定められたパラメータであり、そして前記Ｂが予め定められたパラメータ、予め定められたルールに応じて確定されたパラメータ又は前記端末装置によって受信された前記装置４００から送信されたパラメータである。
【０１３２】
一つの選択可能な実施例として、前記
0006971308.tif 000022
であり、ここで、前記Ｍが前記第二の時間ユニットにおけるアップリンク時間リソースの数であり、前記ｋが正整数であり、そして前記ｋが予め定められたパラメータ又は前記端末装置によって受信された前記装置４００から送信されたパラメータであり、又は前記
0006971308.tif 000023
であり、ここで、前記Ｍが前記第二の時間ユニットにおけるアップリンク時間リソースの数であり、前記ｔが正数であり、そして前記ｔが予め定められたパラメータ又は前記端末装置によって受信された前記装置４００から送信されたパラメータであり、又は前記
0006971308.tif 000024
であり、ここで、前記ｑが正数であり、そして前記ｑが予め定められたパラメータ又は前記端末装置によって受信された前記装置４００から送信されたパラメータである。
【０１３３】
一つの選択可能な実施例として、前記装置はさらに前記端末装置へ第一の送信電力制御コマンドを送信するように構成される第三の送信ユニットを備え、前記第一の送信電力制御コマンドが前記第一の時間ユニットで前記ターゲットアップリンク情報を伝送するための送信電力を調整することに用いられ、又は前記第一の送信電力制御コマンドが前記第一の時間ユニットで前記ターゲットアップリンク情報を伝送するための送信電力及び前記第二の時間ユニットで前記ターゲットアップリンク情報を伝送するための送信電力を調整することに用いられる。
【０１３４】
一つの選択可能な実施形態として、前記装置はさらに前記端末装置へ第一の情報を送信するように構成される第四の送信ユニットを備え、ここで、前記第一の情報が前記第一の時間ユニットで前記ターゲットアップリンク情報を伝送するための第一のリソースインデックスを確定するために前記端末装置によって使用され、そして前記第一の情報が第二の情報と異なり、前記第二の情報が前記第二の時間ユニットで前記ターゲットアップリンク情報を伝送するための第二のリソースインデックスを確定するために前記端末装置によって使用される。
【０１３５】
一つの選択可能な実施例として、前記装置はさらに前記端末装置へ第三の情報と第一のアルゴリズムを送信するように構成される第五の送信ユニットを備え、ここで、前記第三の情報と前記第一のアルゴリズムが前記第一の時間ユニットで前記ターゲットアップリンク情報を伝送するための第一のリソースインデックスを確定するために前記端末装置によって使用され、そして前記第一のアルゴリズムが第二のアルゴリズムと異なり、前記第二のアルゴリズムが前記第三の情報に基づいて前記第二の時間ユニットで前記ターゲットアップリンク情報を伝送するための第二のリソースインデックスを確定するために前記端末装置によって使用される。
【０１３６】
一つの選択可能な実施例として、前記ターゲットアップリンク情報のタイプが周期的ＣＳＩである場合、前記第一の前処理方式は前記周期的ＣＳＩにおける優先度が最も高い情報を選択して伝送することであり、又は前記ターゲットアップリンク情報のタイプがＡＣＫ／ＮＡＣＫ情報である場合、前記第一の前処理方式は前記ＡＣＫ／ＮＡＣＫ情報に対してバンドリングを実行することである。
【０１３７】
一つの選択可能な実施例として、前記装置はさらに端末装置が第一の伝送ユニットで第一の伝送方式を用いて送信したターゲットアップリンク情報を受信する前に、前記端末装置へ第一の通知メッセージを送信するように構成される第六の送信ユニットを備え、前記第一の通知メッセージが前記第一の時間ユニット及び前記第二の時間ユニットで前記ターゲットアップリンク情報を伝送することができることを前記端末装置に通知することに用いられる。
【０１３８】
理解すべきものとして、ここでの装置４００は機能モジュールの形態で具現化される。ここでの用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置４００が具体的に上記実施例におけるネットワーク装置であってもよく、装置４００が上記方法の実施例における、ネットワーク装置に対応する各プロセス及び／又はステップを実行することに用いられてもよいことを理解でき、繰り返しを回避するために、ここで説明を省略する。
【０１３９】
図５は本開示の実施例による情報伝送装置５００の概略図であり、該装置５００は受信機５１０、プロセッサ５２０、送信機５３０、メモリ５４０とバスシステム５５０を備える。ここで、受信機５１０、プロセッサ５２０、送信機５３０とメモリ５４０はバスシステム５５０を介して接続し、該メモリ５４０が命令を記憶することに用いられ、該プロセッサ５２０は該メモリ５４０に記憶された命令を実行し、信号を受信するように受信機５１０を制御し、そして命令を送信するように該送信機５３０を制御することに用いられる。
【０１４０】
ここで、前記プロセッサ５２０は第一の時間ユニットでターゲットアップリンク情報を伝送するための第一の伝送方式を確定するように構成され、前記第一の伝送方式が、前記装置が第二の時間ユニットで前記ターゲットアップリンク情報を伝送するための第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なる。
【０１４１】
前記送信機５３０は前記第一の伝送方式を用いてネットワーク装置へ前記ターゲットアップリンク情報を送信するように構成される。
【０１４２】
理解すべきものとして、装置５００は具体的に上記実施例における端末であってもよく、そして上記方法の実施例における端末装置に対応する各ステップ及び／又はプロセスを実行することに用いられてもよい。選択可能に、該メモリ５４０は読み取り専用メモリとランダムアクセスメモリを含み、そしてプロセッサに命令とデータを供給することができる。メモリの一部はさらに不揮発性ランダムアクセスメモリを含むことができる。例えば、メモリは、装置タイプの情報を記憶することができる。該プロセッサ５２０はメモリに記憶された命令を実行することに用いられてもよく、そして該プロセッサが命令を実行する場合、該プロセッサは上記方法の実施例における端末装置に対応する各ステップを実行することができる。
【０１４３】
図６は本開示の実施例による情報伝送装置６００の概略図であり、該装置６００は受信機６１０、プロセッサ６２０、送信機６３０、メモリ６４０とバスシステム６６０を備える。ここで、受信機６１０、プロセッサ６２０、送信機６３０とメモリ６４０はバスシステム６６０を介して接続し、該メモリ６４０が命令を記憶することに用いられ、該プロセッサ６２０は該メモリ６４０に記憶された命令を実行し、信号を受信するように該受信機６１０を制御し、そして命令を送信するように該送信機６３０を制御することに用いられる。
【０１４４】
ここで、該受信機６１０は端末装置が第一の伝送ユニットで第一の伝送方式を用いて送信したターゲットアップリンク情報を受信するように構成され、前記第一の伝送方式が、前記端末装置が第二の時間ユニットで前記ターゲットアップリンク情報を伝送するための第二の伝送方式と異なり、そして前記第二の時間ユニットにおける前記ターゲットアップリンク情報を伝送するための時間長が前記第一の時間ユニットにおける前記ターゲットアップリンク情報を伝送するための時間長と異なる。
【０１４５】
理解すべきものとして、装置６００は具体的に上記実施例におけるネットワーク装置であってもよく、そして上記方法の実施例におけるネットワーク装置に対応する各ステップ及び／又はプロセスを実行することに用いられてもよい。選択可能に、該メモリ６４０は読み取り専用メモリとランダムアクセスメモリを含み、そしてプロセッサに命令とデータを供給することができる。メモリの一部はさらに不揮発性ランダムアクセスメモリを含むことができる。例えば、メモリは、装置タイプの情報を記憶することができる。該プロセッサ６２０はメモリに記憶された命令を実行することに用いられてもよく、そして該プロセッサが命令を実行する場合、該プロセッサは上記方法の実施例におけるネットワーク装置に対応する各ステップを実行することができる。
【０１４６】
理解すべきものとして、本開示の実施例では、プロセッサは中央処理ユニット（Ｃｅｎｔｒａｌ  Ｐｒｏｃｅｓｓｉｎｇ  Ｕｎｉｔ：「ＣＰＵ」と略称）であってもよく、該プロセッサはさらに他の汎用プロセッサ、デジタル信号プロセッサ（ＤＳＰ）、専用特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１４７】
理解すべきものとして、本明細書で用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１４８】
本開示の各方法の実施例では、前記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１４９】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１５０】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１５１】
本開示が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１５２】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの箇所に位置してもよく、又は複数のネットワークユニットに分布してもよい。実際のニーズに応じてその中の一部又は全てのユニットを選択して本実施例の解決策の目的を達成することができる。
【０１５３】
また、本開示の各実施例における各機能ユニットは一つの処理ユニットに統合されてもよく、個々のユニットは単独で物理的に存在してもよく、二つ又は二つ以上のユニットは一つのユニットに統合されてもよい。
【０１５４】
前記機能はソフトウェア機能ユニットの形態で実現され且つ独立した製品として販売又は使用される場合、一つのコンピュータ読み取り可能な記憶媒体に格納されてもよい。このような理解に基づき、本開示の技術的解決策は本質的にソフトウェア製品の形態で実現されてもよく、又は従来技術に貢献する一部又は該技術的解決策の全部又は一部がソフトウェア製品の形態で実現されてもよく、該コンピュータソフトウェア製品は一つのコンピュータ装置（パーソナルコンピュータ、サーバ、又はネットワーク装置などあってもよい）に本開示の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５５】
以上は、本開示の具体的な実施形態だけであり、本開示の保護範囲はこれに制限されず、当業者が本開示に開示された技術範囲内で容易に想到し得る変化又は入れ替わりが全て本開示の保護範囲以内に含まれるべきである。したがって、本開示の保護範囲は特許請求の範囲によって準拠するべきである。
【図１】
0006971308.tif 000025
【図２】
0006971308.tif 000026
【図３】
0006971308.tif 000027
【図４】
0006971308.tif 000028
【図５】
0006971308.tif 000029
【図６】
0006971308.tif 000030